(57)【要約】【課題】商品陳列用フックを備えた商品陳列棚に取り付けて多くのポップ広告が表示可能なＰＯＰ表示具を提供する。【解決手段】天板の前側にＰＯＰ表示するＰＯＰ表示板５が垂直に立設され、ＰＯＰ表示板５には、プライスカード用フック９がはまり込む窪み２２が間隔をおいて一対形成されるとともに、一対の窪み２２の間に、両端のプライスカード用フックの間に配置されている他のプライスカード用フック９が入り込むための長溝２５が設けられ、天板の左右に下向きに側板が形成され、側板の下部には商品陳列用フック３を挿入するスリーブ状のフック挿入スリーブ７が設けられ、天板のＰＯＰ表示板側には、両端のプライスカード用フック先端の突起を差し込むフック突起差込孔が間隔をおいて一対形成されるとともに、一対のフック突起差込孔の間に両端のプライスカード用フックの間に配置されている他のプライスカード用フック先端の突起を出すための長孔１３が形成されているＰＯＰ表示具。【選択図】図４
2011167256.tif 000002
【特許請求の範囲】
【請求項１】
天板の前側にＰＯＰ表示するＰＯＰ表示板が垂直に立設され、ＰＯＰ表示板には、プライスカード用フックがはまり込む窪みが間隔をおいて一対形成されるとともに、前記一対の窪みの間に、両端のプライスカード用フックの間に配置されている他のプライスカード用フックが入り込むための長溝が設けられ、天板の左右に下向きに側板が形成され、側板の下部には商品陳列用フックを挿入するスリーブ状のフック挿入スリーブが設けられ、天板のＰＯＰ表示板側には、両端のプライスカード用フック先端の突起を差し込むフック突起差込孔が間隔をおいて一対形成されるとともに、前記一対のフック突起差込孔の間に両端のプライスカード用フックの間に配置されている他のプライスカード用フック先端の突起を出すための長孔が形成されていることを特徴とするＰＯＰ表示具。
【請求項２】
ＰＯＰ表示板を折曲により厚みを持たせたことを特徴とする請求項１記載のＰＯＰ表示具。
【請求項３】
ＰＯＰ表示板が紙製、あるいはＰＰフィルムをラミネートした紙製であることを特徴とする請求項１又は２記載のＰＯＰ表示具。
【発明の詳細な説明】
【技術分野】
【０００１】
本発明は、多数の商品を吊り下げて陳列する商品陳列用フックを備えた商品陳列棚に取り付けるＰＯＰ表示具に関する。
【背景技術】
【０００２】
従来から、百貨店、スーパー、コンビニエンスストア、ドラッグストアなどでは、沢山の商品を吊り下げて陳列できるとともに、商品を前方にスライド移動させることにより容易に取り取り出すことができることから、複数の商品を吊り下げることができる商品陳列用フックを備えた商品陳列棚が利用されている。
【０００３】
図７は商品陳列用フック３を備えた商品陳列棚を示し、商品陳列用フック３は、その上にプライスカード用フック９を備えており、来店者の注目を集めるために、必要に応じて吊り下げた商品の商品名、商品の紹介、価格等についての情報を表示したプライスカード３２が取り付けられる。
【０００４】
例えば、特許文献１には、ネット形陳列棚のワイヤに商品を吊り下げる商品陳列用フックが係止され、商品陳列用フックの上方に商品表示プレートを取り付ける商品表示プレート用フックが開示されている。
【０００５】
また、特許文献２には、陳列棚に対し前方に突出して装着され、商品を吊り下げるフック棒と、このフック棒の上方に位置しカードを差し入れ・取り出し可能に収容する透明なホルダーを備えたカードホルダーを支持するホルダー棒とを有する商品陳列フックが開示されている。
【０００６】
また、特許文献３には、商品陳列具に、上下２段の商品吊下バーを装着し、上の商品吊下バー先端の屈曲部には価格等を表示したカードを取り付け、下の商品吊下バーには、商品を取り付け、カードホルダーは、左右に長い一対のカード挟持板と、左端側の第１脚と右端側の第２脚部とを有し、第１脚部の第１係合凹部を、商品吊下バーに左方から係合させ、第２脚部の第２係合凹部を、別の商品吊下バーに上方から係合させることで、カードホルダーを取り付け、カード挟持板の間の第１間隙に商品カードを挟み込んで保持する商品陳列用フックが開示されている。
【先行技術文献】
【特許文献】
【０００７】
【特許文献１】特開２００２−０７８５７８号公報
【特許文献２】特開２００１−１３７０８８号公報
【特許文献３】特開２００９−０２８１４１号公報
【発明の概要】
【発明が解決しようとする課題】
【０００８】
従来の商品表示プレート用フックの先端に取り付けたカードホルダーは、図７に示すように保持するカードが小さいためポップ広告の表示領域が小さいので、大きなＰＯＰ広告を表示することが不可能であった。そのため、商品の紹介、商品シリーズ等の商品についての多くの広告情報を表示することができず、商品を目立たせることができずに大きな販売促進効果が得られない場合があった。
【０００９】
そこで、本発明は、商品陳列用フックを備えた商品陳列棚に取り付けて多くのポップ広告が表示可能なＰＯＰ表示具を提供するものである。
【課題を解決するための手段】
【００１０】
本発明のＰＯＰ表示具は、天板の前側にＰＯＰ表示するＰＯＰ表示板が垂直に立設され、ＰＯＰ表示板には、プライスカード用フックがはまり込む窪みが間隔をおいて一対形成されるとともに、前記一対の窪みの間に、両端のプライスカード用フックの間に配置されている他のプライスカード用フックが入り込むための長溝が設けられ、天板の左右に下向きに側板が形成され、側板の下部には商品陳列用フックを挿入するスリーブ状のフック挿入スリーブが設けられ、天板のＰＯＰ表示板側には、両端のプライスカード用フック先端の突起を差し込むフック突起差込孔が間隔をおいて一対形成されるとともに、前記一対のフック突起差込孔の間に両端のプライスカード用フックの間に配置されている他のプライスカード用フック先端の突起を出すための長孔が形成されていることを特徴とする。
【発明の効果】
【００１１】
本発明は、陳列棚最上段の横列のフックをまとめてカバーするＰＯＰ表示具なので、大きなＰＯＰ広告を表示することが可能となるため、商品の紹介、商品シリーズ等の商品について多くの広告情報を表示することが可能となる。その結果、商品を目立たせることができ、大きな販売促進効果が得られる。
【００１２】
また、本発明は、商品陳列用フック、プライスカード用フックあるいは、プライスカードを外したフックに装着が可能となる。
【図面の簡単な説明】
【００１３】
【図１】本発明のＰＯＰ表示具を陳列棚に取り付けた状態を示す図である。
【図２】本発明のＰＯＰ表示具の斜視図である。
【図３】本発明のＰＯＰ表示具の展開図である。
【図４】ＰＯＰ表示具をプライスカード用フックに取り付け他状態を示す斜視図である。
【図５】ＰＯＰ表示具を商品陳列用フックに取り付けた状態を示す斜視図である。
【図６】ＰＯＰ表示具を、プライスカードを外したフックに取り付けた状態を示す斜視図である。
【図７】フックを備えた陳列棚の一例を示す斜視図である。
【発明を実施するための形態】
【００１４】
本発明の実施例を、図面を参照しながら説明する。
【実施例１】
【００１５】
図１に示す陳列棚において、ＰＯＰ表示具１は、商品を収納した容器又は袋２などが吊り下げられた最上段の商品陳列用フック３の上に配置される。図１では、ＰＯＰ表示具１は商品陳列用フック３が両側のスリーブ状のフック挿入スリーブ７に挿入されて取り付けられた例である。
【００１６】
図２に示すＰＯＰ表示具の斜視図において、ＰＯＰ表示具１は、天板４の前側にＰＯＰ表示するＰＯＰ表示板５が垂直に形成される。天板４の両側には、ＰＯＰ表示具１をフック上部に係止するため、フックを挿入するスリーブ状のフック挿入スリーブ７を設けた側板６が形成される。ＰＯＰ表示具１をフックに係止するため、フックの形状に応じて、フックを挿入するスリーブ状のフック挿入スリーブ７のほかに、ＰＯＰ表示板にフックがはまり込む窪み２２あるいは、天板にフックの先端を差し込むフック突起差込孔１１（図６）が形成される。
【００１７】
図３に示すＰＯＰ表示具の展開図において、天板４の一方の側にＰＯＰ表示板５が連設され、天板４の両側にフック挿入スリーブ７（図２）を形成する側板６が連設されている。ＰＯＰ表示具は、紙製とすることにより、印刷し易く、折り曲げ、切り込みあるいは、貼着により容易に作製することが可能となる。表面にＰＰフィルムをラミネートすれば強度、美粧性を合わせて向上させることができる。
【００１８】
天板４とＰＯＰ表示板５は谷折り線８を介して連設され、谷折り線８の天板側の両側に、陳列棚の両端の、プライスカードを外したプライスカード用フック９の先端の突起１０（図６）を差し込むためのフック突起差込孔１１、あるいはフック突起差込孔を形成するための差込孔用切り込み線１２が形成される。
【００１９】
両側のフック突起差込孔１１の間には、両側のプライスカード用フック９の間に配置されている他のプライスカード用フック９の突起１０を天板４から出すための長孔１３が谷折り線８に沿って形成されている。なお、天板４に谷折り線８に沿って平行に形成されている切り取り線１４は、天板４を切り離す際に使用される。
【００２０】
ＰＯＰ表示板５は、谷折り線８から立ち上げ、高さの間隔をおいて山折り線１５が谷折り線８に平行に形成され、ＰＯＰ表示板５に厚みを持たせるため、山折り線１５に平行に山折り線１６が平行に形成され、谷折り線８と二つの山折り線１５，１６の折り曲げにより壁が形成される。ＰＯＰ表示板５に厚みを持たせることにより、重圧感が増し、美粧性が向上する。
【００２１】
ＰＯＰ表示板５の前側で且つ両側には、ＰＯＰ表示板５の壁内に山折り線１７に沿ってＰＯＰ表示板５の壁内に折り込んで貼着する貼着片１８が形成されるとともに、下方に折り曲げられた側板６の切り込み１９に差し込む差込片２０が形成される。なお、ＰＯＰ表示板５の底部に厚みを持たせるため、貼着片１８の山折り線１７に平行に山折り線２１が形成される。
【００２２】
ＰＯＰ表示板５の両側には、両側のプライスカード用フック９の間隔に合わせてプライスカード用フック９をはめ込むための窪み２２、あるいは窪みを形成するための窪み用切り込み線２３が形成される。貼着片１８にはプライスカード用フック９をはめ込む切り欠き２４がＰＯＰ表示板５の窪み２２に連続して形成されている。両側の窪み２２の間には、両側のプライスカード用フック９の間に配置されている他のプライスカード用フックが入り込むための長溝２５、あるいは長溝を形成するための長溝用切り込み線２６が設けられている。
【００２３】
側板６は、５本の山折り線２７〜３１に沿って下側かつ内側に間隔をおいて折り込んでフック挿入スリーブ７を形成する。なお、側板６には、ＰＯＰ表示板５の差込片２０を差し込む切り込み１９が形成される。
【００２４】
ＰＯＰ表示具の組み立て方法は、ＰＯＰ表示板５の部分にＰＯＰ広告が印刷された図３に示す形状の厚紙を用意し、天板４の両側の側板６を山折り線２７に沿って天板４の下側に垂直に折り曲げ、さらに山折り線２８〜３１に沿って内側に折り込んだ後、貼着してフック挿入用スリーブ７を形成する。
【００２５】
次いで、ＰＯＰ表示板５を谷折り線８と山折り線１５，１６の折り曲げにより壁を形成し、壁内に貼着片１８を折り込んで貼着する。次いで、差込片２０を側板６の切り込み１９に差し込む。こうして図２に示すＰＯＰ表示具が完成する。
【００２６】
次に、ＰＯＰ表示具を陳列棚のフックへ取り付ける方法について説明する。
【００２７】
商品陳列用フック３の上にプライスカード用フック９を有する場合、図４において、ＰＯＰ表示板５の窪み２２にプライスカード３２を有するプライスカード用フック９を嵌め込んで固定する。両端のプライスカード用フック９の間にある他のプライスカード用フックがＰＯＰ表示板５にぶつからないように長溝２５を形成してプライスカード３２を出す。
【００２８】
商品陳列用フック３のみの場合、図５において、両側の側板６に形成したフック挿入スリーブ７に、別の商品陳列用フックを所定位置に固定し、挿入して支持する。
【００２９】
プライスカード３２を外したプライスカード用フック９の場合、図６に示すように、プライスカード用フック９の先端の突起１０を天板４にカットにより形成されたフック突起差込孔１１に差し込んで固定する。両端のプライスカード用フック９の間にある他のプライスカード用フックの突起１０が天板４にぶつからないように長孔１３から出す。
【符号の説明】
【００３０】
１：ＰＯＰ表示具              ２：容器又は袋
３：商品陳列用フック          ４：天板
５：ＰＯＰ表示板              ６：側板
７：フック挿入スリーブ        ８：谷折り線
９：プライスカード用フック  １０：突起
１１：フック突起差込孔        １２：差込孔用切り込み線
１３：長孔                    １４：切り取り線
１５：山折り線                １６：山折り線
１７：山折り線                １８：貼着片
１９：切り込み                ２０：差込片
２１：山折り線                ２２：窪み
２３：窪み用切り込み線        ２４：切り欠き
２５：長溝                    ２６：長溝用切り込み線
２７〜３１：山折り線          ３２：プライスカード
【図１】
2011167256.tif 000003
【図２】
2011167256.tif 000004
【図３】
2011167256.tif 000005
【図４】
2011167256.tif 000006
【図５】
2011167256.tif 000007
【図６】
2011167256.tif 000008
【図７】
2011167256.tif 000009